(57)【要約】【課題】津波や高潮などの水位上昇時における波の衝撃力から屋外施設を防護して、この屋外施設の健全性を確保できる屋外施設の防護設備を提供すること。【解決手段】屋外タンク１の周囲に設置されて、水位上昇時における波の衝撃力を緩和させる防護構造体１１と、この防護構造体１１に屋外タンク１に向けて設置され、水位上昇により浮き上がる屋外タンク１に当接してこの浮き上がりを防止するストッパ体１２と、を有して構成されたものである。【選択図】  図１
2012229585.tif 000002
【特許請求の範囲】
【請求項１】
屋外施設の周囲に設置されて、水位上昇時における波の衝撃力を緩和させる防護構造体と、
この防護構造体に前記屋外施設に向けて設置され、水位上昇により浮き上がる前記屋外施設に当接してこの浮き上がりを防止するストッパ体と、を有して構成されたことを特徴とする屋外施設の防護設備。
【請求項２】
前記防護構造体には、水面に浮上可能な浮袋を収納する浮袋収納装置が設置され、水面に浮上した前記浮袋に、水面を流れる漂流物が接触可能に構成されたことを特徴とする請求項１に記載の屋外施設の防護設備。
【請求項３】
前記浮袋には拡散防止シートが設けられ、この拡散防止シートは、前記浮袋が水面に浮上した際に屋外施設の周囲を囲み、この屋外施設の内容物の拡散を防止可能に構成されたことを特徴とする請求項２に記載の屋外施設の防護設備。
【請求項４】
前記防護構造体には、水を通過可能な複数の貫通孔が形成されたことを特徴とする請求項１に記載の屋外施設の防護設備。
【請求項５】
前記防護構造体は、水位上昇時の水の流れを、屋外施設から避ける方向に変更させる羽根を具備して構成されたことを特徴とする請求項１に記載の屋外施設の防護設備。
【請求項６】
前記防護構造体は、通過する水の流れに抵抗を与える抵抗部材を具備して構成されたことを特徴とする請求項１に記載の屋外施設の防護設備。
【請求項７】
前記抵抗部材はメッシュ材、または隙間を有して充填された充填材であることを特徴とする請求項６に記載の屋外施設の防護設備。
【発明の詳細な説明】
【技術分野】
【０００１】
本発明の実施形態は、津波や高潮などから屋外施設を防護する屋外施設の防護設備に関する。
【背景技術】
【０００２】
原子力発電プラントなどの各種プラントは、一般に海岸や港湾域に築造されている。従って、これらのプラントの敷地内に設置される屋外タンク等は、地震に伴う津波に遭遇した際に、津波及び津波漂流物によって破損しないように考慮する必要がある。津波からの防護設備として例えば特許文献１のような可動壁式堤体が開示されている。
【先行技術文献】
【特許文献】
【０００３】
【特許文献１】特開２００７−１２６９４５号公報
【発明の概要】
【発明が解決しようとする課題】
【０００４】
屋外構造物が滑動や漂流した場合、周辺構築物に損傷を与え２次災害へと発展することも懸念される。特に上述した屋外タンクの場合、設置箇所に固定されず載置されているだけの場合もあり、またその構造から、他の設備よりも水位上昇による浮き上がり等が起きる可能性が高い。屋外タンクが油類を収容するものの場合、損傷により内容物が漏出による被害拡大が想定され得る。
したがって、屋外タンクなどの屋外施設は、津波や高潮などに対して好適に防護する必要がある。特に、原子力発電プラントの各施設では、災害時に健全性を損なうことなく機能することへの要求が高い。
【０００５】
本発明の目的は、上述の事情を考慮してなされたものであり、津波や高潮などから屋外施設を防護して、この屋外施設の健全性を確保できる屋外施設の防護設備を提供することにある。
【課題を解決するための手段】
【０００６】
本発明の実施形態に係る屋外施設の防護設備は、屋外施設の周囲に設置されて、水位上昇時における波の衝撃力を緩和させる防護構造体と、この防護構造体に前記屋外施設に向けて設置され、水位上昇により浮き上がる前記屋外施設に当接してこの浮き上がりを防止するストッパ体と、を有して構成されたことを特徴とするものである。
【発明の効果】
【０００７】
本発明によれば、水位上昇時における波の衝撃力を防護構造体が緩和するので、津波や高潮などから屋外施設を防護して、この屋外施設の健全性を確保できる。
【図面の簡単な説明】
【０００８】
【図１】本発明に係る屋外施設の防護設備における第１実施形態の構成を示す斜視図。
【図２】図１の屋外施設の防護設備における概略平面図。
【図３】図１の屋外施設の防護設備における部分側断面図。
【図４】図１の浮袋収納装置から浮袋が浮上している状態を示す部分側断面図。
【図５】図１の浮袋収納装置から浮袋が浮上している状態を示す斜視図。
【図６】本発明に係る屋外施設の防護設備における第２実施形態を示す部分側断面図。
【図７】図６に示す屋外施設の防護設備における第２実施形態の変形形態を示す部分側断面図。
【図８】本発明に係る屋外施設の防護設備における第３実施形態を示し、（Ａ）は抵抗部材をメッシュ材とした場合、（Ｂ）は抵抗部材を充填材とした場合をそれぞれ示す部分側断面図。
【発明を実施するための形態】
【０００９】
以下、本発明を実施するための実施形態を図面に基づき説明する。但し、本発明は、これらの実施形態に限定されるものではない。
【００１０】
［Ａ］第１実施形態（図１〜図５）
図１は、本発明に係る屋外施設の防護設備における第１実施形態の構成を示す斜視図である。図２は、図１の屋外施設の防護設備における概略平面図である。
【００１１】
図１及び図２に示す屋外施設、特に原子力発電プラントなどの各種プラントの敷地内に設置された屋外タンク１には、この屋外タンク１を自然災害（例えば津波や高潮など）から防護するための防護設備１０が設置されている。この防護設備１０は、防護構造体１１、ストッパ体１２、浮袋収納装置１３、及び拡散防止シート１４(図４)を有して構成される。なお、本実施形態では、屋外タンク１が油を収容するものとして説明する。
【００１２】
防護構造体１１は、屋外タンク１の側面から一定距離を隔てて、この屋外タンク１の周囲に立設された複数枚の板材である。各防護構造体１１は例えば鉄、特に強靭な鉄鋼から構成されることが好ましい。また、防護構造体１１は、屋外タンク１の周囲に所定の間隔で配置されるが、この間隔内に、屋外タンク１に接続された配管などが配設される。この防護構造体１１は、津波や高潮などの水位上昇時に防油堤２を超えて押し寄せる波を破砕して、この波の衝撃力を緩和する。
【００１３】
更に、防護構造体１１には、水を通過可能な複数の貫通孔１５が形成されている。この貫通孔１５内を水が通過することで、防護構造体１１に作用する水圧が低下して、この水圧による防護構造体１１の転倒などが回避される。
【００１４】
尚、防護構造体１１は環状に構成されて、屋外タンク１の周囲を囲み、屋外タンク１に接続された配管を通過させるためのスリットが適宜形成されたものでもよい。また、前記防油堤２は、屋外タンク１の損傷時に内容物の拡散防止のために設けられている。
【００１５】
前記ストッパ体１２は、防護構造体１１の例えば下部に屋外タンク１へ向けて突設される、例えば鉄鋼製の板状体である。このストッパ体１２は、図３に示すように、屋外タンク１の底部フランジ３の上方に配置され、津波や高潮などの水位上昇時に屋外タンク１が浮き上がった際に、この屋外タンク１の底部フランジ３に当接して、この屋外タンク１のそれ以上の浮き上がりを防止する。
【００１６】
前記浮袋収納装置１３は、図４に示すように、水面Ａに浮上可能な浮袋１６を収納するものであり、各防護構造体１１における屋外タンク１と反対側の外側面の上部に取り付けられている。浮袋１６は、例えばゴム素材や合成樹脂からなる。この浮袋１６は、膨張時には防護構造体１１よりも屋外タンク１の周方向に長尺となる。従って、浮袋１６は、図４及び図５に示すように、膨張時には水面Ａに浮上すると共に、屋外タンク１の周方向に互いに当接して屋外タンク１の周囲に連続して配設される。この水面Ａに浮上して屋外タンク１の周囲を囲む複数の浮袋１６により、漂流物１７が屋外タンク１に向かって水面Ａを流れてきた場合に浮袋１６と接触するため、漂流物１７の屋外タンク１への衝突の防止、または衝撃力を緩和することができる。
【００１７】
浮袋１６の膨張は、浮袋収納装置１３内に収納された浮袋１６に気体（例えば空気など）が注入されることによりなされる。この気体の注入は、例えばプラント内に設置された潮位計の測定値が所定値に至ったとき、または地震警報や津波警報等を受信したときに、プラントからの信号を受信して実施されるように構成する。あるいは、防護構造物１１自身に水位センサや加速度センサ（津波の原因となる大地震を検出するため）等を取り付け、その計測結果で実施されるようにしてもよい。浮袋１６の膨張は、例えばインフレータを用いた窒素ガスの充填等で実施される。
【００１８】
前記拡散防止シート１４は、浮袋１６に設けられたものであり、図４及び図５に示すように、浮袋１６が水面Ａに浮上した際に、この浮袋１６から垂下されて屋外タンク１の周囲を連続して囲むよう構成される。この拡散防止シート１４は、屋外タンク１が万一損傷して屋外タンク１の内容物が流出(漏出)した場合にも、その内容物の拡散を防止可能とする。また、拡散防止シート１４を防護構造物１１から完全に離脱することがないよう係合する構成としておけば、水位が想定以上に上昇しても浮袋１６が防護構造物１１から離脱して漂流することがない。
【００１９】
以上のように構成されたことから、本実施形態によれば、次の効果（１）〜（５）を奏する。
【００２０】
（１）屋外タンク１の周囲に防護構造体１１が配置されたことから、津波や高潮などによる水位上昇時における波が防護構造体１１に衝突して破砕される。このため、波の衝撃力が防護構造体１１により緩和されるので、津波や高潮などの水位上昇時における波の衝撃力から屋外タンク１を防護して、この屋外タンク１の健全性を確保できる。
【００２１】
（２）防護構造体１１には、屋外タンク１に向けてストッパ体１２が設置され、このストッパ体１２が、水位上昇により浮き上がる屋外タンク１の底部フランジ３に当接して、この屋外タンク１のそれ以上の浮き上がりを防止するので、屋外タンク１の漂流や転倒を防止できる。
【００２２】
（３）防護構造体１１に設置された浮袋収納装置１３に、水面Ａに浮上可能な浮袋１６が収納され、この水面Ａに浮上した浮袋１６に、水面Ａを流れる漂流物１７が接触可能に構成されている。このため、漂流物１７が屋外タンク１に直接衝突することを防止でき、または漂流物１７の屋外タンク１への衝突を緩和できる。この結果、漂流物１７の衝突による屋外タンク１の損傷を防止できる。
【００２３】
（４）浮袋１６には、この浮袋１６が水面Ａに浮上した際に、浮袋１６から垂下して屋外タンク１の周囲を囲む拡散防止シート１４が設けられている。従って、屋外タンク１が万一損傷してその内容物が流出した際にも、浮袋１６と拡散防止シート１４によって内容物の流出が遮られ、その内容物の拡散を抑制できる。
【００２４】
（５）防護構造体１１には複数の貫通孔１５が形成され、この貫通孔１５内を水が流れることから、防護構造体１１に波が衝突したときにその水圧を低下させることができ、従って水圧による防護構造体１１の転倒などを防止できる。
【００２５】
［Ｂ］第２実施形態（図６、図７）
図６は、本発明に係る屋外施設の防護設備における第２実施形態を示す部分側断面図である。本実施形態において、前記第１実施形態と同様な部分については、同一の符号を付すことにより説明を簡略化し、または省略する。
【００２６】
本実施形態の防護設備２０が前記第１実施形態の防護設備１０と異なる点は、防護構造体２１が、津波や高潮などによる水位上昇時の水の流れを屋外タンク１から避ける方向に変更させる（換言すると、屋外タンク１の表面に垂直な方向に対して傾いた方向に）複数枚の羽根２２を具備した点である。
【００２７】
つまり、羽根２２は、水位上昇時の波による水の流れを、図６に示すように屋外タンク１に対して上方に変更すべく、上方に傾斜して複数枚配列されている。または、羽根２２は、水位上昇時の波による水の流れを、図７に示すように屋外タンク１に対して周方向に変更すべく、左もしくは右方向に傾斜して複数枚配列されている。水位上昇時における波の水は、羽根２２により流れの向きが変更されて、複数枚の羽根２２間を流れる。あるいは、羽根２２を例えば一般的なタービン羽根のような形状にして上下方向・周方向両方に向きを変える構成としてもよい。
【００２８】
羽根２２により、波の方向を変えて屋外タンク１への直撃を回避することができる。また、一般に、波の衝撃力は波の流速に比例するところ、防護構造体２１および羽根２２により水の流速（つまり、波の流速）を低下させることが可能になる。この波の流速低下によって、波による衝撃力を緩和させることが可能になる。
【００２９】
尚、本実施形態では、図示していないが、防護構造体２１に浮袋収納装置１３が設置され、更に、この浮袋収納装置１３に収納された浮袋１６に拡散防止シート１４が設けられてもよい。
【００３０】
以上のように構成されたことから、本実施形態によれば、前記第１実施形態の効果（２）〜（５）と同様な効果を奏するほか、次の効果（６）を奏する。
【００３１】
（６）防護構造体２１には、水の流れの向きを、屋外タンク１を避ける方向に変更する複数枚の羽根２２が設けられたので、水位上昇時に波による水の流れの向きを防護構造体２１の羽根２２により変更することで、波による屋外タンク１への衝撃力を緩和することができる。これにより、津波や高潮などの水位上昇時における波の衝撃力から屋外タンク１を防護でき、屋外タンク１の健全性を確保できる。
【００３２】
［Ｃ］第３実施形態（図８）
図８は、本発明に係る屋外施設の防護設備における第３実施形態を示し、（Ａ）は抵抗部材をメッシュ材とした場合、（Ｂ）は抵抗部材を充填材とした場合をそれぞれ示す部分側断面図である。この第３実施形態において、前記第１実施形態と同様な部分については、同一の符号を付すことにより説明を簡略化し、または省略する。
【００３３】
本実施形態の防護設備３０が前記第１実施形態の防護設備１０と異なる点は、防護構造体３１が、通過する水の流れに抵抗を与える抵抗部材としてのメッシュ材３２または充填材３３を具備して構成された点である。
【００３４】
つまり、防護構造体３１は、図８（Ａ）に示すように、例えば金属製のメッシュ材３２を備えて構成され、または、図８（Ｂ）に示すように、例えば球状または棒状の充填材３３が隙間を有して充填されて構成される。水位上昇時の波による水の流速は、水が防護構造体３１におけるメッシュ材３２を通過し、または充填材３３の隙間を通過することで減速され、これにより、波の屋外タンク１への衝撃力が緩和される。
【００３５】
尚、本実施形態では、図示しないが、防護構造体３１に浮袋収納装置１３が設置され、更にこの浮袋収納装置１３に収納された浮袋１６に拡散防止シート１４が設けられてもよい。
【００３６】
以上のように構成されたことから、本実施形態によれば、前記第１実施形態の効果（２）〜（５）と同様な効果を奏するほか、次の効果（７）を奏する。
【００３７】
（７）防護構造体３１が、通過する水の流れに抵抗を与えるメッシュ材３２または充填材３３を具備して構成されたので、水位上昇時の波による水の流速を、防護構造体３１のメッシュ材３２または充填体３３により減速させることができる。この結果、波による屋外タンク１への衝撃力を緩和できるので、津波や高潮などの水位上昇時における波の衝撃力から屋外タンク１を防護でき、これにより屋外タンク１の健全性を確保できる。
【００３８】
以上、本発明を上記実施形態に基づいて説明したが、本発明はこれに限定されるものではなく、その要旨を逸脱しない範囲で構成要素を種々変形してもよく、また、異なる実施形態にわたる構成要素を適宜組み合わせてもよい。
【００３９】
例えば、前記第１実施形態において、防護構造体１１における屋外タンク１と対向する内側面に浮袋収納装置１３を設置してもよい。この場合には、浮袋収納装置１３から浮袋１６が浮上したとき、この浮袋１６から垂下される拡散防止シート１４が防護構造体１１の内側に配設されることになる。このため、防護構造体１１の外側から内側に向かって防護構造体１１の貫通孔１５内を流れる水の流れを阻害することがない。
【００４０】
また、例えばゼンマイバネ等を用いて拡散防止シート１４を防護構造体上部で巻き取られる構成としてもよい。このような構成によれば、水位が比較的低い場合でも拡散防止シート１４が垂れ下がって貫通孔１５や羽根２２等を覆い隠すことがない。
【００４１】
また、前記第１実施形態における浮袋１６は、膨張可能なメッシュ材で覆われて、浮袋１６を漂流物１７から保護するように構成してもよい。
【符号の説明】
【００４２】
１  屋外タンク（屋外施設）
１０  防護設備
１１  防護構造体
１２  ストッパ体
１３  浮袋収納装置
１４  拡散防止シート
１５  貫通孔
１６  浮袋
１７  漂流物
２０  防護設備
２１  防護構造体
２２  羽根
３０  防護設備
３１  防護構造体
３２  メッシュ材（抵抗部材）
３３  充填材（抵抗部材）
Ａ  水面
【図１】
2012229585.tif 000003
【図２】
2012229585.tif 000004
【図３】
2012229585.tif 000005
【図４】
2012229585.tif 000006
【図５】
2012229585.tif 000007
【図６】
2012229585.tif 000008
【図７】
2012229585.tif 000009
【図８】
2012229585.tif 000010